(57)【要約】【課題】比較的単純な構成で、空調空気を所望する方向へ、送風抵抗を低減し、十分な送風量で送風することができる上下風向板を備える空気調和機を提供する。【解決手段】送風口１３を横切るように水平方向に沿って設置され、運転停止時には、送風口１３を閉止する板状の上下風向板２１を、下流端２２ｂが上流端２２ａに対して傾斜することで、上面２２が下側に凸の凹形状に形成するとともに、上流側の部位２４を中心にして、上下方向に揺動可能に支持し、第１の運転モードでは、下流端２２ｂが上流端２２ａよりも下方に位置し、第２の運転モードでは、下流端２２ｂが上流端２２ａよりも上方に位置するように角度調整する。【選択図】図２
2017040408.tif 000002
【特許請求の範囲】
【請求項１】
室内機本体と、
該室内機本体の少なくとも下面部分に開口された送風口と、
該送風口に配置された上下風向板とを備えた室内機を有し、
前記上下風向板は、
運転停止時に上方に面する板面が下側に凸の凹形状であり、
第１の運転モードでは、該板面の下流端が該板面の上流端よりも下方に位置し、
第２の運転モードでは、該下流端が該上流端よりも上方に位置することを特徴とする空気調和機。
【請求項２】
前記上下風向板の前記上面が、上流側と下流側では曲率半径が異なる曲面によって構成されていることを特徴とする請求項１に記載の空気調和機。
【請求項３】
前記上下風向板の前記上面における上流側の曲率半径よりも下流側の曲率半径が大きく設定されていることを特徴とする請求項２に記載の空気調和機。
【請求項４】
前記上下風向板の前記上面における上流側の曲率半径よりも下流側の曲率半径が小さく設定されていることを特徴とする請求項２に記載の空気調和機。
【請求項５】
前記上下風向板の前記上面が、略Ｖ字形状に折れ曲がりつつ、連続する複数の曲面、および平面で構成されることを特徴とする請求項１に記載の空気調和機。
【請求項６】
前記上下風向板が、送風路に沿って配置される上流側風向板と下流側風向板で構成されることを特徴とする請求項１〜請求項５のいずれか１項に記載の空気調和機
【発明の詳細な説明】
【技術分野】
【０００１】
本発明は、空気調和機に関し、特に上下方向の風向制御に関するものである。
【背景技術】
【０００２】
空気調和機は、室内を目標とする温度環境に、より早く効率良く近付けるために、室内機の送風口に上下風向板が設けられている。この上下風向板は、空気調和機の運転モードに応じて上下に揺動し、空調空気の上下方向の風向を制御する。
【０００３】
たとえば、特許文献１のような壁掛型の室内機の場合、室内機が壁面上の天井付近に設置され、送風口が室内機の下面部分に開口し、送風口には、上下風向板が設置されている。そして、上下風向板の表裏を返すことで、上向きに送風する上向き運転モードと下向きに送風する下向き運転モードを切り替えている。また、特許文献１では、上下風向板は、湾曲した板状部材で構成され、中央部を貫通する支軸によって表裏に回転可能に軸支されている。また、上下風向板の支軸は、アームの先端に設置され、アームを移動させることで、室内機内の構造に当たることなく、上下風向板を表裏に回転可能にしつつ、上下風向板を運転モード毎に適切な位置と角度に調整している。
【先行技術文献】
【特許文献】
【０００４】
【特許文献１】特許第４７３５３７７号公報
【発明の概要】
【発明が解決しようとする課題】
【０００５】
ところで、上下風向板について、可動部分の構造が複雑であればあるほど、故障の原因となるため、可動部分は、より単純な構造であることが望まれる。
また、室内を目標とする温度環境に効率よく近付けるには、空調空気の風向とともに、十分な送風量が必要である。
しかしながら、特許文献１では、室内ファンの回転速度を変えることで、送風量を変えるという一般的な手段が記述されているのみで、送風抵抗を低減するための技術について、開示、示唆されていない。
そこで、本発明は、比較的単純な構成で、空調空気を天井方向へ、送風抵抗を低減し、十分な送風量で送風することができる上下風向板を備える空気調和機を提供することを目的とする。
【課題を解決するための手段】
【０００６】
上記課題を解決するために、本発明の空気調和機は、上下風向板が、運転停止時に上方に面する板面が下側に凸の凹形状を備え、第１の運転モードでは、下流端が上流端よりも下方に位置し、第２の運転モードでは、下流端が上流端よりも上方に位置することを特徴とする。
【発明の効果】
【０００７】
本発明によると、比較的単純な構成で、各運転モードにおいて送風口の開口面積を確保し、送風抵抗を低減しつつ、天井方向に十分な送風量で空調空気を送風することができる。
【図面の簡単な説明】
【０００８】
【図１】空気調和機を構成する室内機の第１実施例を示す斜視図である。
【図２】第１実施例の運転停止時における上下風向板の位置を示す断面図である。
【図３】第１実施例の上下風向板を示す側面図である。
【図４】第１実施例の通常冷房運転時における上下風向板の位置を示す断面図である。
【図５】第１実施例の天井冷房運転時における上下風向板の位置を示す断面図である。
【図６】第１実施例の変形例における上下風向板を示す側面図である。
【図７】空気調和機を構成する室内機の第２実施例を示す斜視図である。
【図８】第２実施例の上下風向板を示す側面図である。
【図９】第２実施例の運転停止時における上下風向板の位置を示す断面図である。
【図１０】第２実施例の通常冷房運転時における上下風向板の位置を示す断面図である。
【図１１】第２実施例の天井冷房運転時における上下風向板の位置を示す断面図である。
【図１２】第３実施例の上下風向板を示す側面図である。
【図１３】第３実施例の運転停止時における上下風向板の位置を示す断面図である。
【図１４】第３実施例の通常冷房運転時における上下風向板の位置を示す断面図である。
【図１５】第３実施例の天井冷房運転時における上下風向板の位置を示す断面図である。
【発明を実施するための形態】
【０００９】
以下、本発明を実施するための第１実施例について、図面を用いて説明する。図１は本実施例の室内機を示す斜視図、図２は本実施例の運転停止時における上下風向板の位置を示す断面図、図３は本実施例の上下風向板を示す側面図である。まず、空気調和機の全体構成について説明する。
空気調和機１は、室内を快適な温度や湿度に調整するもので、室内に設置される室内機１ａ（図１参照）と、室外に設置される室外機（図示せず）と、空気調和機１の運転モードを設定するリモコン（図示せず）と、室内機１ａと室外機とを繋ぐ接続配管（図示せず）とを備えている。
【００１０】
室外機は、圧縮機、室外ファン、室外熱交換器等を備える。室外機の圧縮機と室外熱交換器は、接続配管によって、後述する室内機１ａの室内熱交換器１４に連通され、冷媒を循環させることにより冷凍サイクルを構成する。
【００１１】
室内機１ａは、図１、図２に示すように、壁面上の天井付近に設置される壁掛型室内機である。室内機１ａは、箱状の本体ケース（室内機本体）１１に、室内空気を内部に取込む吸込口１２と、空調空気を室内に送風する送風口１３とが開口している。また、室内機１ａは、本体ケース１１内に、室内熱交換器１４と、室内ファン１５と、露受部品１６と、左右風向板１７と、上下風向板２１とを備えている。そして、室内空気は、室内ファン１５によって、吸込口１２から室内機１ａ内に吸込まれ、室内熱交換器１４を通過する際に、温度と湿度を調整されて、空調空気となり、送風口１３から室内に送風される。
【００１２】
吸込口１２は、本体ケース１１の上部に開口する上側吸込口１２ａと、本体ケース１１の前面に開口する前側吸込口１２ｂとで構成されている（図４参照）。また、上側吸込口１２ａと前側吸込口１２ｂには、フィルター１２ｃがそれぞれ設置されている。そして、フィルター１２ｃによって、室内機１ａに吸込まれる室内空気中の塵埃が取除かれる。また、前側吸込口１２ｂには、前面パネル１８が設置されている。
【００１３】
前面パネル１８は、その下端部を中心にして上端側が揺動するように構成されている。そして、前面パネル１８は、空気調和機１の運転停止時には前側吸込口１２ｂを閉止し、運転時には前側吸込口１２ｂを開くように制御される。これにより、室内機１ａの美観を損なうことなく、吸込口１２の開口面積を広め、室内空気の吸込抵抗を低減している。
【００１４】
送風口１３は、本体ケース１１の下面部分に、後述する送風路Ｓの送風方向に対して斜めに横切るように開口し、送風口１３を通じて、空調空気が室内に送風される。
【００１５】
室内熱交換器１４は、断面略Ｕ字形状を有し、Ｕ字の底部が前側上方に、Ｕ字の開口部分が後側下方にそれぞれ位置するように、本体ケース１１内に幅方向に沿って設置されている。
室内ファン１５は、横流ファン方式の筒状ファンからなり、室内熱交換器１４のＵ字形状内に配置されている。
露受部品１６は、Ｖ字溝形状を有し、室内熱交換器１４の下方に設置されている。露受部品１６は、冷房運転時や除湿運転時に、室内熱交換器１４で結露した凝縮水をＶ字溝内に集め、室外へ排出する。また、露受部品１６は、その外周面と、本体ケース１１内に設置される下部ケーシング１９とで、室内ファン１５を出た空調空気を送風口１３へ導く送風路Ｓを形成している。
【００１６】
左右風向板１７は、たとえば、同一形状を有する複数の平板からなり、送風路Ｓ内を幅方向に等間隔に、且つ送風路Ｓを上下方向に縦断しつつ、左右方向に揺動可能に設置されている。また、左右風向板１７には、左右駆動モータ（図示せず）が連結され、運転モードやリモコンからの指示等に応じて、左右駆動モータが、左右風向板１７を設定された角度に揺動する。
【００１７】
上下風向板２１は、図３に示すように、送風口１３を閉止可能な一枚の板状部材からなり、左右風向板１７よりも下流側に位置する送風口１３を、水平方向（左右の幅方向）に沿って横切り、板面が上下に面しつつ、上下方向に揺動可能に設置されている。上下風向板２１は、図２に示すように、運転停止時に上方に面する板面である上面２２の下流端部分２２ｂが、上面２２の上流端部分２２ａに対して傾斜するように形成されている。つまり、上面２２は下側に凸の凹形状を備えている。また、上下風向板２１の上面２２は、上流側と下流側では曲率半径が異なる曲面によって構成されており、上流側の曲率半径Ｒ２２ａよりも下流側の曲率半径Ｒ２２ｂが大きく（上流側の曲率よりも下流側の曲率が小さく）設定されている。すなわち、上面２２の反りは、下流端部分２２ｂの方が上流端部分２２ａよりも小さく設定されている。そして、上下風向板２１は、運転停止時に下方に面する板面である下面２３が本体ケース１１底部の外形形状を構成している。上下風向板２１は、上流側端部の上面２２に突設された複数の上下ヒンジ部（上流側の部位）２４を介して本体ケース１１に支持され、回動軸２４ａを中心にして、下流側端部が上下方向に揺動する。また、上下風向板２１には、上下駆動モータ（図示せず）が連結され、上下駆動モータが、運転モードやリモコンからの指示等に応じて、送風口１３の開閉を行なうとともに、上下風向板２１を設定された角度に揺動する。
【００１８】
次に、各運転モードにおける上下風向板の動作例として、運転停止状態、通常冷房モード、および天井冷房モードについて説明する。
運転停止状態では、図２に示すように、上下風向板２１は、その下流端部分２２ｂが最も上方に位置し、送風路Ｓをほぼ隠蔽しつつ、送風口１３を閉止している。また、上下風向板２１が送風口１３を閉止した状態では、上下風向板２１の下面２３が、本体ケース１１における底部から前面パネル１８下縁にかけての範囲の外形形状を構成している。なお、運転停止状態では、前面パネル１８も前側吸込口１２ｂを閉止している。
【００１９】
また、通常冷房モード（第１の運転モード）では、図４に示すように、上下風向板２１は、下流端部分２２ｂが上流端部分２２ａよりも下方に位置するように設定される。このような通常冷房モードでは、送風路Ｓを通過し、斜め下方向へ吹出された空調空気は、上下風向板２１の上面２２によって向きを変えられ、送風口１３から室内機１ａの前方に向かってほぼ水平に送風される。
【００２０】
そして、天井冷房モード（第２の運転モード）では、図５に示すように、上下風向板２１は、水平に引かれた補助線（一点鎖線）から分かるように、下流端部分２２ｂが上流端部分２２ａよりも上方、且つ運転停止状態の時よりも下方に位置するように角度調整される。このような天井冷房モードでは、送風路Ｓを通過した空調空気は、上下風向板２１の上面２２によって向きを変えられ、送風口１３から天井に向かって斜め上方に送風される。
【００２１】
このように、空気調和機１の室内機１ａは、リモコンからの指示に応じて、上下風向板２１、左右風向板１７を所定の角度まで回動して、空調空気を送風口１３から上下左右に向きを変え、目標とする領域へ送風する。
なお、リモコンからの指示等により、空気調和機１の運転中に上下風向板２１、左右風向板１７を周期的に揺動させ、室内の広範囲に周期的に空調空気を送風することもできる。
【００２２】
以上説明したように、本実施例における空気調和機１の上下風向板２１は、下流端部分２２ｂが上流端部分２２ａに対して傾斜するように形成されていることによって、上面２２が下側に凸の凹形状を備えている。また、上下風向板２１は、運転モードに応じて、回動軸２４ａを中心にして、下流端部分２２ｂが上下方向に揺動するように設置されている。そして、上面２２が下側に凸の凹形状を備えることによって、上下風向板２１を送風口１３を大きく開いても下流端部分２２ｂの吹出角度を確保できるため、送風口１３の開口面積を確保しつつ、天井方向に向けて送風することができる。
つまり、このような構成とすることで、室内機１ａは、比較的単純な構成で、天井運転モードを含む各運転モードにおいて、送風口１３の開口面積を確保することで送風抵抗を低減し、天井方向に十分な送風量で空調空気を送風することができる。
これに対して、上下風向板として、湾曲しない平板を用いて、運転停止時に送風口を閉止する構成とした場合には、送風口を閉じた状態から天井方向に送風する際に、本実施例と同様の吹出角度を確保した場合には、送風口を大きく開くことができず、送風抵抗が高くなってしまう。
【００２３】
また、本実施例では、上下風向板２１の上面２２が、上流側と下流側では曲率半径が異なる曲面で構成されることによって、上下風向板２１の外形寸法を要求される寸法内に収めたり、本体ケース１１の外形形状を構成しつつ、送風口１３の開口面積を確保し、且つ天井部分の目標とする範囲に送風することができる。
これに対して、上流側から下流側まで曲率半径一定で湾曲する上下風向板を用いた場合には、本体ケースの外形形状を構成することが困難な場合が生じたり、運転停止時に送風口全体を閉止することができず、美観を損なう場合がある等の問題が生じてしまう。
【００２４】
さらに、上面２２における上流側の曲率半径よりも下流側の曲率半径が大きく設定されていることで、天井方向へ送風した際に、送風口１３から吹出された空調空気が、室内機１ａから速やかに離れる。これにより、送風口１３から吹出された直後の空調空気が室内機１ａに吸込まれてしまうショートサーキットの発生を抑制することができる。
【００２５】
次に、本発明の第１実施例の変形例について説明する。図６は、第１実施例の変形例における上下風向板を示す側面図である。上記第１実施例に対して本変形例が異なる点は、上下風向板３１の上面３２の構成である。このため、上記第１実施例と共通する構成については、同一の符号を付し、詳細な説明を省略する。
図６に示すように、本変形例の上下風向板３１では、上記第１実施例と同様に、上下風向板３１の上面３２が、上流端部分３２ａと下流端部分３２ｂでは曲率半径が異なる曲面によって構成されている。しかしながら、本変形例の上下風向板３１では、その上面３２における上流端部分３２ａの曲率半径Ｒ３２ａよりも下流端部分３２ｂの曲率半径Ｒ３２ｂが小さく（上流側の曲率よりも下流側の曲率が大きく）設定されている。このような上下風向板３１を用いることで、天井冷房モード（第２の運転モード、上方運転モード）では、垂直により近い角度で天井に向かって送風することができる。
【００２６】
以上説明したように、本変形例の空気調和機１では、上記第１実施例によって得られる作用効果に加え、上下風向板３１の上面３２における上流端部分３２ａ側の曲率半径Ｒ３２ａよりも下流端部分３２ｂの曲率半径Ｒ３２ｂが小さく設定されていることで、送風口１３の開口面積を確保しつつ、天井への送風を行うことができる。
【００２７】
次に、本発明の第２実施例について説明する。図７は、本実施例の室内機を示す斜視図、図８は本実施例の上下風向板を示す側面図である。上記第１実施例に対して本実施例が異なる点は、上下風向板４１の構成である。このため、上記第１実施例と共通する構成については、同一の符号を付し、詳細な説明を省略する。
本実施例の上下風向板４１は、図７，図８に示すように、上流側風向板４１Ａと下流側風向板４１Ｂで構成されている。また、本実施例では、上流側風向板４１Ａと下流側風向板４１Ｂで構成される上下風向板４１が、送風口１３の左右方向に３組配置されている。各上下風向板４１Ａ，４１Ｂは、板状部材からなり、左右風向板１７よりも下流側に位置する送風口１３を水平方向（左右の幅方向）に沿って横切りつつ、上下方向に揺動可能に設置されている。なお、送風口１３は、送風路Ｓの送風方向に対して斜めに開口している。そして、上流側風向板４１Ａは、送風口１３の上流側部位を、下流側風向板４１Ｂは、送風口１３の下流側部位を閉止可能に形成され、上流側風向板４１Ａと下流側風向板４１Ｂのそれぞれが、送風口１３を閉止することで、送風口１３全体が閉止される。
【００２８】
また、各上下風向板４１Ａ，４１Ｂは、各上面４２Ａ，４２Ｂの各下流端部分４２Ａｂ，４２Ｂｂが、各上面４２Ａ，４２Ｂの各上流端部分４２Ａａ，４２Ｂａに対して傾斜するように形成されることによって、各上面４２Ａ，４２Ｂが下側に凸の凹形状を備えている。なお、本実施形態の上流側風向板４１Ａと下流側風向板４１Ｂは、それぞれについて、上流側と下流側、で曲率半径が異なっている。つまり、曲率半径Ｒ４２Ａａと曲率半径Ｒ４２Ａｂ、および曲率半径Ｒ４２Ｂａと曲率半径Ｒ４２Ｂｂが異なっている。また、上流側風向板４１Ａと下流側風向板４１Ｂについても、曲率半径が異なっている。つまり、曲率半径Ｒ４２Ａａと曲率半径Ｒ４２Ｂａ、および曲率半径Ｒ４２Ａｂと曲率半径Ｒ４２Ｂｂが異なっている。そして、上流側風向板４１Ａの上流側の曲率半径Ｒ４２Ａａが最も小さく、下流側風向板４１Ｂの下流側の曲率半径Ｒ４２Ｂｂが最も大きくなるように、上流側から下流側に向かって曲率が順に小さく（上流側から下流側に向かって曲率が順に小さく）なるように設定されている。
各上下風向板４１Ａ，４１Ｂは、各上流側端部の各上面４２Ａ，４２Ｂに突設された複数の上下ヒンジ部（上流側の部位）２４によって本体ケース１１に軸支され、各上下ヒンジ部２４を中心にして、各下流側端部が上下方向に揺動する。また、上流側風向板４１Ａと下流側風向板４１Ｂは、リンク構造（図示せず）等によって連係されており、連結された上下駆動モータ（図示せず）によって連動しつつ、上下に揺動する。
【００２９】
なお、各運転モードにおける上下風向板の動作例として、運転停止状態、通常冷房モード、および天井冷房モードについて説明する。図９は本実施例の運転停止時における上下風向板の位置を示す断面図、図１０は本実施例の通常冷房運転時における上下風向板の位置を示す断面図、図１１は本実施例の天井冷房運転時における上下風向板の位置を示す断面図である。
運転停止状態では、図９に示すように、各上下風向板４１Ａ，４１Ｂは、その下流端部分４２Ａｂ，４２Ｂｂが他の状態に比べて最も上方に位置し、送風路Ｓをほぼ隠蔽しつつ、送風口１３を閉止している。また、各上下風向板４１Ａ，４１Ｂが送風口１３を閉止した状態では、各上下風向板４１Ａ，４１Ｂの下面４３Ａ，４３Ｂが、本体ケース１１における底部から前面パネル１８下縁にかけての範囲の外形形状を構成している。なお、運転停止状態では、前面パネル１８も前側吸込口１２ｂを閉止している。
【００３０】
次に、通常冷房モード（第１の運転モード）では、図１０に示すように、各上下風向板４１Ａ，４１Ｂは、水平に引かれた補助線（一点鎖線）から分かるように、各下流端部分４２Ａｂ，４２Ｂｂが各上流端部分４２Ａａ，４２Ｂａよりも下方に位置するように角度調整される。また、下流側風向板４１Ｂは、その下流端部分４２Ａｂの角度がほぼ水平となるように設定される。そして、上流側風向板４１Ａは、上流側風向板４１Ａの上面４２Ａによって風向が変えられた空調風が、下流側風向板４１Ｂの下面４３Ｂに沿って流れるように、角度が調整されている。通常冷房モードにおいて、このように各上下風向板４１Ａ，４１Ｂを角度調整することで、送風路Ｓを通過し、斜め下方向へ吹出された空調空気は、各上面４２Ａ，４２Ｂによって向きを変えられ、送風口１３から室内機１ａの前方に向かってほぼ水平に送風される。
【００３１】
また、天井冷房モード（第２の運転モード）では、図１１に示すように、下流側風向板４１Ｂは、水平に引かれた補助線（一点鎖線）から分かるように、その下流端部分４２Ａｂが上流端部分４２Ａａよりも上方に位置するように角度調整される。また、上流側風向板４１Ａは、空調風を下流側風向板４１Ｂ側へ流すために、ほぼ水平になるよう角度が調整されている。天井冷房モードにおいて、このように各上下風向板４１Ａ，４１Ｂを角度調整することで、送風路Ｓを通過した空調空気は、各上面４２Ａ，４２Ｂによって向きを変えられ、送風口１３から天井に向かって斜め上方に送風される。
【００３２】
このように、空気調和機１の室内機１ａは、リモコンからの指示に応じて、上下風向板４１、左右風向板１７を所定の角度まで回動して、空調空気を送風口１３から上下左右に向きを変え、目標とする領域へ送風する。
【００３３】
以上説明したように、本実施例における空気調和機１の上下風向板４１が、上流側風向板４１Ａと下流側風向板４１Ｂで構成され、各上下風向板４１Ａ，４１Ｂを連動させることで、上記第１実施例（上下風向板２１が１枚の場合）と同様の作用効果が得られる。
なお、本実施例では、上流側風向板４１Ａと下流側風向板４１Ｂの各上面４２Ａ，４２Ｂについて、上流側と下流側で曲率半径が異なっているが、これに限定されることはない。
たとえば、上流側風向板４１Ａの上面４２Ａは平面形状とし、下流側風向板４１Ｂの上面４２Ｂについてのみ、上流側と下流側で曲率半径を変える構成とすることも可能である。
また、上流側風向板４１Ａと下流側風向板４１Ｂの各上面４２Ａ，４２Ｂが、単一の曲率半径からなる曲面で形成されつつも、上流側風向板４１Ａの曲率半径と下流側風向板４１Ｂの曲率半径が異なるように設定し、上流側風向板４１Ａと下流側風向板４１Ｂを１つの上下風向板４１とみなして、上流側の曲率半径と下流側の曲率半径が異なる構成としてもよい。
さらに、上下風向板４１を揺動させる際に、リンク構造は使用せず、上流側風向板４１Ａと下流側風向板４１Ｂにそれぞれ別の駆動モータ（図示せず）を連結し、別々に揺動させる構成としてもよい。このような構成とした場合、各上下風向板４１Ａ，４１Ｂを別々に動かすことで、様々な方向へ同時に送風することが可能となり、複雑な送風パターンを実現することができる。
加えて、図７に示すように、本実施例の室内機１ａは、３組の上下風向板４１を連動させて、同じ動きをさせることが可能であるとともに、それぞれ別々に動かすことで、複雑な送風パターンを実現することも可能である。
【００３４】
次に、本発明の第３実施例について説明する。図１２は本実施例の上下風向板を示す側面図である。上記第１実施例に対して本実施例が異なる点は、上下風向板５１の構成である。このため、上記第１実施例と共通する構成については、同一の符号を付し、詳細な説明を省略する。
本実施例の上下風向板５１は、図１２に示すように、その上面５２が、円弧形状を有する屈曲部分５２ｃを介して連続する２つの平面（上流側平面部５２ａ、下流側平面部５２ｂ）によって、断面略Ｖ字形状に形成されている。また、屈曲部分５２ｃが上面５２のほぼ中央に位置するように、各平面５２ａ，５２ｂの領域が設定されている。そして、上面５２の断面形状を略Ｖ字形状とすることで、下流端部分５２ｂｂが上流端部分５２ａａに対して傾斜し、下側に凸の凹形状を備える構成としている。
【００３５】
次に、各運転モードにおける上下風向板の動作例として、運転停止状態、通常冷房モード、および天井冷房モードについて説明する。図１３は本実施例の運転停止時における上下風向板の位置を示す断面図、図１４は本実施例の通常冷房運転時における上下風向板の位置を示す断面図、図１５は本実施例の天井冷房運転時における上下風向板の位置を示す断面図である。
運転停止状態では、図１３に示すように、上下風向板５１は、第１実施例と同様に、最も上方に位置し、送風路Ｓをほぼ隠蔽しつつ、送風口１３を閉止している。そして、本実施例においても、運転停止状態で、上下風向板５１の下面５３が、本体ケース１１における底部から前面パネル１８下縁に架けての範囲の外形形状を構成する。
【００３６】
また、通常冷房モード（第１の運転モード）では、図１４に示すように、上下風向板５１は、第１実施例と同様に、下流端部分５２ｂｂが上流端部分５２ａａよりも下方に位置し、下流側平面部５２ｂの角度がほぼ水平となるように設定される。そして、斜め下方向へ吹出された空調空気は、上面５２によって、送風口１３から室内機１ａの前方に向かってほぼ水平に送風される。
【００３７】
そして、天井冷房モード（第２の運転モード）では、図１５に示すように、上下風向板５１は、下流端部分５２ｂｂが上流端部分５２ａａよりも上方に位置するように角度調整される。そして、送風路Ｓを通過した空調空気は、送風口１３から天井に向かって斜め上方に送風される。
【００３８】
以上説明したように、本実施例の空気調和機１では、上下風向板５１の上面５２が、折れ曲がりつつ、連続する複数の曲面、および平面で構成されることによって、上下風向板５１の外形寸法を要求される寸法内に収めつつ、送風口１３の開口面積を確保し、天井部分の目標とする範囲に送風することができる。
なお、本実施例では、上下風向板５１の上面５２が、屈曲部分５２ｃを介して連続する上流側平面部５２ａと下流側平面部５２ｂによって構成されているが、どちらか一方の平面を曲面としたり、両方を曲面としてもよい。
また、本実施例では、屈曲部分５２ｃが、上下風向板５１のほぼ中央付近に位置するように、上面５２の形状が設定されているが、屈曲部分５２ｃを中央よりも上流側や下流側に設定することで、上記第１実施例のように、上流側と下流側で曲率半径を変えた場合と同様の作用効果が得られる。
【符号の説明】
【００３９】
１  空気調和機
１ａ  室内機
１３  送風口
２１  上下風向板
２２  上面（運転停止時に上方に面する板面）
２２ａ  上流端部分
２２ｂ  下流端部分
２４  上下ヒンジ部
Ｒ２２ａ  上流側の曲率半径
Ｒ２２ｂ  下流側の曲率半径
３１  上下風向板
３２  上面（運転停止時に上方に面する板面）
３２ａ  上流端部分
３２ｂ  下流端部分
Ｒ３２ａ  上流側の曲率半径
Ｒ３２ｂ  下流側の曲率半径
４１  上下風向板
４１Ａ  上流側風向板
４１Ｂ  下流側風向板
４２Ａ  上流側の上面（運転停止時に上方に面する板面）
４２Ａａ  上流端部分
４２Ａｂ  下流端部分
４２Ｂ  下流側の上面（運転停止時に上方に面する板面）
４２Ｂａ  上流端部分
４２Ｂｂ  下流端部分
Ｒ４２Ａａ  上流側風向板の上流側曲率半径
Ｒ４２Ａｂ  上流側風向板の下流側曲率半径
Ｒ４２Ｂａ  下流側風向板の上流側曲率半径
Ｒ４２Ｂｂ  下流側風向板の下流側曲率半径
５１  上下風向板
５２  上面（運転停止時に上方に面する板面）
５２ａ  上流側平面部
５２ａａ  上流端部分
５２ｂ  下流側平面部
５２ｂｂ  下流端部分
５２ｃ  屈曲部分
【図１】
2017040408.tif 000003
【図２】
2017040408.tif 000004
【図３】
2017040408.tif 000005
【図４】
2017040408.tif 000006
【図５】
2017040408.tif 000007
【図６】
2017040408.tif 000008
【図７】
2017040408.tif 000009
【図８】
2017040408.tif 000010
【図９】
2017040408.tif 000011
【図１０】
2017040408.tif 000012
【図１１】
2017040408.tif 000013
【図１２】
2017040408.tif 000014
【図１３】
2017040408.tif 000015
【図１４】
2017040408.tif 000016
【図１５】
2017040408.tif 000017